(57)【要約】【課題】  発言の場において、複数の話題がある場合に、話題が必ずしも指定した順に進まない状況であっても、話題ごとの時間を算出することが可能な話題管理装置を提供する。【解決手段】  発話者から受け付けた発言を、音声認識により文字列に変換し、話題情報記憶手段に記憶されている話題別単語が含まれている場合に、発言文字列が対応する話題のものであると決定する。さらに当該発言に要した発言時間を、その話題に対応する発言に要した時間の合計に加算して、当該話題の経過時間を算出する。【選択図】図１７
2014143668.tif 000002
【特許請求の範囲】
【請求項１】
発話者の発言を受け付ける情報処理装置であって、
発言を行う全体時間と、いかなる内容の発言をしているかを特定する話題と、当該全体時間のうち、話題ごとに割り当てられた話題時間と、当該話題を特徴付ける単語として話題別単語と、を記憶する話題情報記憶手段と、
発話者から受け付けた発言を、文字列に変換する音声認識手段と、
前記音声認識手段により変換された発言文字列に、前記話題情報記憶手段に記憶されている前記話題別単語が含まれている場合に、当該発言文字列がいずれの前記話題に対応するかを決定する話題決定手段と、
前記音声認識手段で変換された発言文字列と、前記話題決定手段で決定された前記話題と、前記発言に要した時間と、を記憶する発言記憶手段と、
前記発言の発言時間と、前記話題決定手段により当該発言に対応する前記発言文字列について決定された話題に対して、前記発言記憶手段に記憶された当該話題に対応する前記発言に要した時間の合計と、を加算して、当該話題の経過時間を算出する話題経過時間算出手段と、
を備えることを特徴とする情報処理装置。
【請求項２】
話題の終了と共に会議をも終了させる終了単語、または話題を他の話題に切り替えるための話題切替単語のいずれの種別の単語であるかを示す発言種別と、各々の該発言種別に対応する単語である話題切替単語と、を話題切替情報として記憶する話題切替単語記憶手段と、
を更に備え、
前記話題決定手段は、更に、
前記発言文字列が前記話題別単語を含んでいない場合であって、且つ話題切替単語を含んでいる場合には、次の話題に切り替えることを特徴とする請求項１に記載の情報処理装置。
【請求項３】
前記話題決定手段は、更に、
前記発言文字列が前記話題別単語を含んでいる場合には、他の話題に対応する前記話題別単語を含んでいるか否かにかかわらず現在の話題を継続させると判定すること特徴とする請求項１または至請求項２に記載の情報処理装置。
【請求項４】
前記発言記憶手段に記憶された前記発言文字列に対応する前記話題を、他の話題に変更するべくユーザの操作により、話題の変更対象となる当該発言文字列と、当該他の話題と、を受け付ける話題変更受付手段と、
前記話題変更受付手段により受け付けた前記発言文字列を話題の変更開始位置として、前記発言記憶手段に記憶された所定の範囲の前記発言文字列に対応する話題を、前記他の話題に変更する話題変更手段と、
を更に備えることを特徴とする請求項１乃至請求項３に記載の情報処理装置。
【請求項５】
前記話題変更手段において、所定の範囲とは、前記話題の変更開始位置以降の前記発言文字列に対して前記話題決定手段により決定された前記話題が、当該発言文字列に対応付けられていたもとの前記話題と異なる直前の前記発言文字列までを含むことを特徴とする請求項４に記載の情報処理装置。
【請求項６】
前記話題変更手段において、所定の範囲とは、前記話題の変更開始位置以降の前記発言文字列に対して前記話題決定手段により決定された前記話題が、前記話題変更受付手段により受け付けた話題と異なる直前の前記発言文字列までを含むことを特徴とする請求項４に記載の情報処理装置。
【請求項７】
前記話題決定手段は、更に、
前記発言文字列が複数の話題に対応する前記話題別単語を含んでいる場合には、該話題別単語の多寡によりいずれの話題に移行するかを自動的に判定することを特徴とする請求項１乃至請求項６のいずれか１項に記載の情報処理装置。
【請求項８】
前記話題決定手段は、更に、
前記発言文字列が複数の話題に対応する前記話題別単語を含んでいる場合には、該話題別単語の多寡によりいずれの話題に移行するかを自動的に判定する場合において、該話題別単語が最も多い話題が複数ある場合には、現在進行中の該話題に近い話題に移行するよう判定することを特徴とする請求項１乃至請求項７のいずれか１項に記載の情報処理装置。
【請求項９】
前記話題経過時間算出手段により算出された前記話題の経過時間と、前記話題情報記憶手段に記憶された当該話題に割り当てられた話題時間に基づいて、当該話題の残時間が所定の時間を経過している旨を、通知する話題残時間通知手段と、
を更に備えることを特徴とする請求項１乃至請求項８のいずれか１項に情報処理装置。
【請求項１０】
前記発言記憶手段に記憶された前記発言に要した時間から、全体経過時間を算出する全体経過時間算出手段と、
前記経過時間算出手段により算出された前記全体経過時間に基づき、閾値記憶手段に予め設定された全体残時間基準値を経過しているか否かを判定する全体残時間判定手段と、
前記全体残時間判定手段により前記全体残時間基準値を経過していると判定された場合には、当該全体残時間が前記全体残時間基準値を経過している旨を表示させるべく通知する全体残時間通知手段と、
を更に備えることを特徴とする請求項１乃至請求項９のいずれか１項に記載の情報処理装置。
【請求項１１】
発話者の発言を受け付ける情報処理装置の制御方法であって、
話題情報登録手段が、発言を行う全体時間と、いかなる内容の発言をしているかを特定する話題と、当該全体時間のうち、話題ごとに割り当てられた話題時間と、当該話題を特徴付ける単語として話題別単語と、を話題情報記憶手段に記憶させる話題情報登録ステップと、
音声認識手段が、発話者から受け付けた発言を、文字列に変換する音声認識ステップと、
話題決定手段が、前記音声認識ステップが、により変換された発言文字列に、前記話題情報記憶手段に記憶されている前記話題別単語が含まれている場合に、当該発言文字列がいずれの前記話題に対応するかを決定する話題決定ステップと、
発言登録手段が、前記音声認識ステップで変換された発言文字列と、前記話題決定手段で決定された前記話題と、前記発言に要した時間と、を発言記憶手段に記憶させる発言登録ステップと、
話題経過時間算出手段が、前記発言の発言時間と、前記話題決定ステップにより当該発言に対応する前記発言文字列について決定された話題に対して、前記発言記憶手段に記憶された当該話題に対応する前記発言に要した時間の合計と、を加算して、当該話題の経過時間を算出する話題経過時間算出ステップと、
を含むことを特徴とする情報処理装置の制御方法。
【請求項１２】
コンピュータを、発話者の発言を受け付ける情報処理装置として機能させるためのプログラムであって、
前記コンピュータを、
発言を行う全体時間と、いかなる内容の発言をしているかを特定する話題と、当該全体時間のうち、話題ごとに割り当てられた話題時間と、当該話題を特徴付ける単語として話題別単語と、を話題情報記憶手段に記憶させる話題情報登録手段、
発話者から受け付けた発言を、文字列に変換する音声認識手段、
前記音声認識手段により変換された発言文字列に、前記話題情報記憶手段に記憶されている前記話題別単語が含まれている場合に、当該発言文字列がいずれの前記話題に対応するかを決定する話題決定手段、
前記音声認識手段で変換された発言文字列と、前記話題決定手段で決定された前記話題と、前記発言に要した時間と、を発言記憶手段に記憶させる発言登録手段、
前記発言の発言時間と、前記話題決定手段により当該発言に対応する前記発言文字列について決定された話題に対して、前記発言記憶手段に記憶された当該話題に対応する前記発言に要した時間の合計と、を加算して、当該話題の経過時間を算出する話題経過時間算出手段、
として機能させることを特徴とするプログラム。
【発明の詳細な説明】
【技術分野】
【０００１】
本発明は、会議の議題毎に時間の経過を管理する会議システムに関する。さらに一般的には、会議、講習、講演会など、１人または複数の発言する話題の単位での時間管理を行う話題管理の技術に関する。
【背景技術】
【０００２】
従来から、遠隔地にあるメンバー同士での会議を容易にするための電子会議システムの技術が提供されている。
【０００３】
会議システムにより、普段は遠隔地で業務を行っている参加者が移動する時間やコストを伴わずに会議をすることを可能とする。また、遠隔地であっても、音声、映像などを共有することにより、可能な限り１つの会議室に集まって会議を行うものに近い状況を作り出す。しかしながら、会議そのものについては、何ら支援を行うものではない。
【０００４】
特許文献１においては、会議の時間を予め設定し、会議中は会議の残時間を表示し、予め設定した時間を経過した場合にはその旨を参加者に警告し、時間の延長または会議の進行を早めさせる警告するなどの判断をさせる技術が提案されている。
【０００５】
さらに、１つの会議において複数の小項目（議題）がある場合には、各々の小項目ごとに項目会議時間を設定し、該項目会議時間の合計を合計会議時間として、それぞれのタイマを表示して、前述同様に残時間に従って、項目会議時間、合計会議時間の双方に対して時間の延長または会議の進行を早めさせる警告するなどの判断をさせる技術が提案されている。
【先行技術文献】
【特許文献】
【０００６】
【特許文献１】特開２００５−２９５０１６号公報
【発明の概要】
【発明が解決しようとする課題】
【０００７】
特許文献１においては、各々の項目会議時間は、１つの議題が開始されてから終わるまでを項目会議時間としており、各議題は設定された順に議事が開始され、進み、終わっていくことを前提としている。
【０００８】
しかしながら、実際の会議においては、ある議題の結論がまとまらず後回しにされたり、前の議題の結論をいったん出した後で、他の議題における議事を進める中で、前の結論を微調整することなどがある。このような状況において特許文献１で提案された技術では、議題がいったん次に進んでしまうと、その議題のために使用した時間の計測をすることができないという問題があった。
【０００９】
本発明は、上記問題を解決するためのものであり、発言の場において、複数の話題がある場合に、話題が必ずしも指定した順に進まない状況であっても、話題ごとの時間を算出することが可能な話題管理装置の提供を目的とする。
【課題を解決するための手段】
【００１０】
本発明は、発話者の発言を受け付ける情報処理装置であって、発言を行う全体時間と、いかなる内容の発言をしているかを特定する話題と、当該全体時間のうち、話題ごとに割り当てられた話題時間と、当該話題を特徴付ける単語として話題別単語と、を記憶する話題情報記憶手段と、発話者から受け付けた発言を、文字列に変換する音声認識手段と、前記音声認識手段により変換された発言文字列に、前記話題情報記憶手段に記憶されている前記話題別単語が含まれている場合に、当該発言文字列がいずれの前記話題に対応するかを決定する話題決定手段と、前記音声認識手段で変換された発言文字列と、前記話題決定手段で決定された前記話題と、前記発言に要した時間と、を記憶する発言記憶手段と、前記発言の発言時間と、前記話題決定手段により当該発言に対応する前記発言文字列について決定された話題に対して、前記発言記憶手段に記憶された当該話題に対応する前記発言に要した時間の合計と、を加算して、当該話題の経過時間を算出する話題経過時間算出手段と、を備えることを特徴とする。
【発明の効果】
【００１１】
本発明により、発言の場において、複数の話題がある場合に、話題が必ずしも指定した順に進まない状況であっても、話題ごとの時間を算出することが可能な話題管理装置の提供が可能となった。
【図面の簡単な説明】
【００１２】
【図１】本発明の実施形態に係わるシステム構成の一例を示す図である。
【図２】本発明の実施形態に係わる会議サーバ、クライアント装置のハードウェア構成の一例を示すブロック図である。
【図３】本発明の実施形態に係る会議システムにおける構成要素を示す図である。
【図４】本発明の実施形態に係わるクライアント装置に表示される会議室を登録する画面の一例である。
【図５】本発明の実施形態に係わるクライアント装置に表示される会議室を予約する画面の一例である。
【図６】本発明の実施形態に係わるクライアント装置に表示される会議に参加する画面の一例である。
【図７】本発明の実施形態に係わる会議の予約情報が登録されている会議リスト記憶部と予約された会議に設定された議題が登録されている議題記憶部のデータ構成の一例を示す図である。
【図８】本発明の実施形態に係わる進行中の会議の議題を切り替えるためのきっかけとなる単語が登録される議題切替単語記憶部と、各議題で使用される特徴的な単語が登録される議題別単語記憶部のデータ構成の一例を示す図である。
【図９】本発明の実施形態に係わる議題切替単語と、議題別単語を登録するためのＧＵＩ（グラフィカル・ユーザ・インタフェース）の一例を示す図である。
【図１０】本発明の実施形態に係わる会議システムを用いた会議を実施する際のＧＵＩの一例を示す図である。
【図１１】本発明の実施形態に係わる会議システムを用いた会議におけるＧＵＩの議事録の一例を示す図である。
【図１２】本発明の実施形態に係わる会議中の発言を音声認識により文字列化したデータを、発言情報として記憶する発言記憶部のデータ構成の一例を示す図である。
【図１３】本発明の実施形態に係わるＧＵＩ上に表示された議事録において、発言に誤った議題が対応付けられた場合に、当該発言の範囲が指定された状態の一例を示す図である。
【図１４】本発明の実施形態に係わるＧＵＩ上に表示された議事録において、誤った議題が対応付けられた発言を指定して正しい議題に対応付けた状態の一例を示す図である。
【図１５】本発明の実施形態に係わる会議の開始から終了までの全体制御の処理を示すフローチャートの一例である。
【図１６】本発明の実施形態に係わる音声認識処理から取得した発言に対して、議題の特定、クライアント装置への表示、発言記憶部に登録する処理を示すフローチャートの一例である。
【図１７】本発明の実施形態に係わる会議および各議題に予め設定された時間に基づき、残り時間を計測してアラートを提示する処理を示すフローチャートの一例である。
【図１８】本発明の実施形態に係わる発言内容のキーワードから会議の終了を判定する処理を示すフローチャートの一例である。
【図１９】本発明の実施形態に係わる発言内容から議題を特定する処理を示すフローチャートの一例である。
【図２０】本発明の第２の実施形態に係わる発言内容から議題を特定する処理を示すフローチャートの一例である。
【図２１】本発明の実施形態に係わる議題残時間が閾値を下回った場合の警告画面の一例を示す図である。
【図２２】本発明の実施形態に係わる発言内容が、複数の議題に属すると判定された場合の議事録の表示画面の一例を示す図である。
【図２３】本発明の実施形態に係わる現在進行中の発言内容が、いずれの議題に属するかを管理する現発言議題記憶部のデータ構成の一例を示す図である。
【図２４】本発明の実施形態に係わるＧＵＩ上に表示された議事録において、誤った議題が対応付けられた発言を指定して正しい議題に対応付けた状態の一例を示す図である。
【図２５】本発明の実施形態に係わる発言内容の議題をユーザが変更した場合の処理を示すフローチャートの一例である。
【発明を実施するための形態】
【００１３】
以下、本発明の実施の形態を、図面を参照して詳細に説明する。
【００１４】
＜第１の実施形態＞
図１は、本発明の実施形態に係わるシステム構成の一例を示す図である。
本発明のクライアント装置１０２（情報処理装置）は、例えば、パーソナルコンピュータであり、ネットワーク通信機能を備え、ネットワーク１０３（ＬＡＮ、ＷＡＮなど）を介して会議サーバ１０１（会議支援サーバ、テレビ会議サーバ、話題管理装置、情報処理装置）とデータ通信が可能（接続可能）である。
【００１５】
会議サーバ１０１は、クライアント装置１０２同士での会議を実現するためのサーバである。クライアント装置１０２は会議サーバ１０１へアクセスすることにより、会議画面（インターフェース）を取得して会議を行うことができる。すなわち複数のクライアント装置１０２は、会議サーバによりデータの送受信を仲介されるようにシステムを構成しても良い。
【００１６】
クライアント装置１０２は、会議システム（会議支援システム、テレビ会議システム）を利用するユーザが操作するパーソナルコンピュータ、タブレット端末、携帯端末などであり、会議サーバ１０１へアクセスするためのクライアント側アプリケーション、および専用のモジュール（アプリケーション）がインストールされている。また、会議システムがウェブを利用したウェブ会議システムである場合には、クライアント側アプリケーションはウェブブラウザを用いるように構成されていてもよい。すなわち、専用のモジュールは、例えば、ウェブブラウザを介して、会議サーバ１０１からダウンロードするＡｃｔｉｖｅＸ（登録商標）コンポーネントであってもよい。なお、会議システムにおいてクライアント装置１０２から動画像を、会議サーバ１０１を通じて会議の会議参加者が利用する他のクライアント装置１０２（自身も含んでもよい）に配信する場合は、撮像装置（不図示）を、音声を送信する場合は、マイクロフォン（音声入力装置１０４ｂ）を接続する。ただし、音声入力装置１０４ｂのように外部に接続されたものではなく、クライアント装置１０２に内蔵されているものであってもよい。また、相手の音声を視聴するためにはスピーカ（不図示）を接続する。
【００１７】
なお、音声入力装置１０４は、会議サーバ１０１に接続されていてもよいし（音声入力装置１０４ａ）、単体でネットワークに接続して、クライアント装置１０２や会議サーバ１０１に音声データを送信できるものであってもよい。いずれにしてもクライアント装置１０２において、本発明の実施形態における発言に対する議題／話題の管理ができるシステムの構成が可能なものであればよい。
【００１８】
以下、音声入力装置１０４も含めてクライアント装置と呼ぶことにする。ただし、音声入力データをネットワークに出力する機能のみ備える装置（１０４ｃ、いわゆるマイクロフォンであっても表示装置などを持たないもの）は、発話データを収集する事のみが可能なクライアント装置とし、ユーザインタフェースを用いて、後述の操作を行えるものは、表示装置を内蔵、あるいは表示装置と接続可能なクライアント装置（１０２ａ〜１０２ｃ）として役割は区別される。すなわち、本発明のシステム構成においては、クライアント装置１０２は複数台接続可能であって、音声を入力するだけの装置と、議題（話題）を表示、操作する画面を表示する装置は、クライアント装置１０２であっても役割を分けてよいので、マイクロフォンの場合も音声をネットワークに出力するのみのクライアント装置とみなすことが可能である。
【００１９】
また、クライアント装置１０２のうちの１台が、会議サーバ１０１を兼ねるよう、会議サーバ１０１とクライアント装置１０２が同一筐体に構成可能であってもよい。
【００２０】
図２は、会議サーバ１０１およびクライアント装置１０２に適用可能な情報処理装置のハードウェア構成例を示すブロック図である。
【００２１】
図２に示すように、会議サーバ１０１およびクライアント装置１０２は、システムバス２０４を介してＣＰＵ（Ｃｅｎｔｒａｌ  Ｐｒｏｃｅｓｓｉｎｇ  Ｕｎｉｔ）２０１、ＲＡＭ（Ｒａｎｄｏｍ  Ａｃｃｅｓｓ  Ｍｅｍｏｒｙ）２０３、ＲＯＭ（Ｒｅａｄ  Ｏｎｌｙ  Ｍｅｍｏｒｙ）２０２、入力コントローラ２０５、ビデオコントローラ２０６、メモリコントローラ２０７、通信Ｉ／Ｆコントローラ２０８等が接続された構成を採る。
【００２２】
ＣＰＵ２０１は、システムバス２０４に接続される各デバイスやコントローラを統括的に制御する。
【００２３】
また、ＲＯＭ２０２あるいは外部メモリ２１１には、ＣＰＵ２０１の制御プログラムであるＢＩＯＳ（Ｂａｓｉｃ  Ｉｎｐｕｔ／Ｏｕｔｐｕｔ  Ｓｙｓｔｅｍ）やＯＳ（Ｏｐｅｒａｔｉｎｇ  Ｓｙｓｔｅｍ）や、各サーバあるいは各ＰＣが実行する機能を実現するために必要な後述する各種プログラム等が記憶されている。また、本発明を実施するために必要な情報が記憶されている。なお外部メモリはデータベースであってもよい。
【００２４】
ＲＡＭ２０３は、ＣＰＵ２０１の主メモリ、ワークエリア等として機能する。ＣＰＵ２０１は、処理の実行に際して必要なプログラム等をＲＯＭ２０２あるいは外部メモリ２１１からＲＡＭ２０３にロードし、ロードしたプログラムを実行することで各種動作を実現する。
【００２５】
また、入力コントローラ２０５は、キーボード（ＫＢ）２０９や不図示のマウス等のポインティングデバイス等からの入力を制御する。
【００２６】
ビデオコントローラ２０６は、ディスプレイ２１０等の表示器への表示を制御する。尚、表示器は液晶ディスプレイ等の表示器でもよい。これらは、必要に応じて管理者が使用する。
【００２７】
メモリコントローラ２０７は、ブートプログラム、各種のアプリケーション、フォントデータ、ユーザファイル、編集ファイル、各種データ等を記憶する外部記憶装置（ハードディスク（ＨＤ））や、フレキシブルディスク（ＦＤ）、あるいは、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）カードスロットにアダプタを介して接続されるコンパクトフラッシュ（登録商標）メモリ等の外部メモリ２１１へのアクセスを制御する。
【００２８】
通信Ｉ／Ｆコントローラ２０８は、ネットワーク１０３を介して外部機器と接続・通信し、ネットワークでの通信制御処理を実行する。例えば、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）を用いた通信等が可能である。
【００２９】
尚、ＣＰＵ２０１は、例えばＲＡＭ２０３内の表示情報用領域へアウトラインフォントの展開（ラスタライズ）処理を実行することにより、ディスプレイ２１０上に表示することが可能である。また、ＣＰＵ２０１は、ディスプレイ２１０上のマウスカーソル（図示しない）等によるユーザ指示を可能とする。
【００３０】
本発明を実現するための後述する各種プログラムは、外部メモリ２１１に記録されており、必要に応じてＲＡＭ２０３にロードされることによりＣＰＵ２０１によって実行されるものである。さらに、上記プログラムの実行時に用いられる定義ファイルおよび各種情報テーブル等も、外部メモリ２１１に格納されており、これらについての詳細な説明についても後述する。
【００３１】
図３は、本発明の実施形態に係る会議システムにおける構成要素を示す図である。図３で示すとおり、すべてのユーザとルーム（会議室）は、グループに所属する（３０１、３０３）。
【００３２】
システム管理者３０２は、会議システム全体の管理者であって、グループおよびグループ管理者の登録、変更、削除を行うと共に、会議システムに関する各種設定を行う。
【００３３】
グループ管理者３０４は、会議システム内の管理者であって、グループ内の一般ユーザと傍聴ユーザ、ルーム、タグの登録、変更、削除を行う。
【００３４】
一般ユーザ３０５は、グループ内で、実際に会議を行うユーザであって、会議室の予約、変更、削除を行うと共に、予約した会議への参加、フリースペースへの参加を行うことができる。なお、グループ管理者は、一般ユーザと同様に、会議室の予約や会議への参加を行うことができる。
【００３５】
その他、例えば電子メールにて招待された会議にのみ参加できるユーザである「ゲストユーザ」や、グループ内で実施されている会議を傍聴する「傍聴ユーザ」がある。また、会議を行うためには、ルームを登録する必要があり、ルームの登録は、グループ管理者が行う。
【００３６】
ルームには、日時、会議参加者を制限して参加するルームであって、会議を行う前に予約が必要な会議室３０６と、日時、会議参加者を問わず会議の予約を行わなくても、いつでも会議を行うことができる「フリースペース」３０７の２種類ある。ユーザは、会議の内容に応じて「会議室」と「フリースペース」を使い分けることができる。
【００３７】
図４は、本発明の実施形態に係わるクライアント装置に表示される会議室を登録する画面の一例である。
【００３８】
本願発明の実施形態で会議を実施する仮想会議室（本明細書では、「ルーム」という。）の設定方法について説明する。図４は、本実施の形態において会議を行うための会議室の設定を行うルーム登録画面である。本図のルーム登録画面は、クライアント装置１０２を操作する会議システムの管理者ユーザ（アドミニストレーター）のアカウントでシステムにログインをし、画面左側のルーム管理の領域を押下することにより、ルーム登録画面がディスプレイに表示される。
【００３９】
ルーム名４０１に、任意のルーム名の名称入力を受け付ける。ルームタイプ４０２は、「会議室」として設定するのか、「フリースペース」として設定するのかの選択を受け付ける。本発明の実施形態において「会議室」とは、会議の参加者や、開始時刻などを定めて予約をする必要があるルームのことを指す。また「フリースペース」とは会議を行うのに予約を必要とせず、参加者などの設定を特に設ける必要のない、誰でも会議に参加可能なルームのことをいう。
【００４０】
定員４０３は、ルーム定員の設定を受け付ける。傍聴機能４０４の設定は、会議に招待されるユーザとは別に、会議の傍聴ユーザを許可するか否かの設定を受け付ける。会議を傍聴するユーザは、定員に空きがあればルームに入室することが可能であるが、発言権限などは制限される。
【００４１】
録画機能４０５の設定は、当該ルームで実施される会議の録画を許可するか否かの設定を受け付ける。録画が許可されたルームであれば、会議中に「録画開始」ボタンの押下を受け付けることで、当該会議を録画することができる。
【００４２】
プロファイル４０６では、ルームに適用させるプロファイルの選択を受け付ける。具体的には、右側の呼出ボタン押下を受け付けると、前述の図３のプロファイル登録画面で登録したプロファイルの一覧が表示され、現在詳細設定を行っているルームに適用するプロファイルの選択を受け付けることができる。４０７の登録ボタンの押下を受け付けると、ルームとルームの詳細設定を会議サーバ１０１の管理テーブル（不図示）に登録する。
【００４３】
図５は、本発明の実施形態に係わるクライアント装置１０２に表示される会議室を予約する画面の一例である。
【００４４】
会議を行うために、会議室の予約をすることができる。これは、前述の「会議室」もしくは「フリースペース」という本発明の実施形態で想定するルームの種類のうち、会議の参加者や開始時間などを決めて予約する必要のある「会議室」タイプのルームを利用する場合に必要な予約処理である。
【００４５】
会議システムの予約画面は、本実施形態の会議システムの一般ユーザアカウントでシステムにログインをし、画面左側の「会議室予約５０１」の領域を押下することにより、クライアント装置１０２の表示装置に表示される。
【００４６】
会議室名５０２は、前述の図４のルーム登録画面で登録をしたルーム（会議室、もしくはフリースペース）の選択を受け付け、会議タイトル５０３の項目で、会議名を設定する。利用日付５０４、利用時間５０５で、該当のルームの利用スケジュールを設定する。参加者５０６は、本実施形態の会議システムに登録されているユーザ情報を呼出し、会議の参加者（会議に招待する者）を選択する。５０６で、「限定する」が選択されている場合には、招待（参加）ユーザの選択画面が表示され、ユーザ情報を検索して招待するユーザの選択をする。参加者を限定しない場合には、特に参加者の設定は受け付けない。なお、会議への参加者を限定しない場合とは、例えば、フリースペース形式のルームで実施する意見交換会のような会議のことをいう。
【００４７】
ゲスト参加者５０７の招待設定は、会議に参加してほしいユーザに招待通知（例えば、ユーザ情報と紐づくメールアドレスを宛先として送信される）を送信する場合に設定をする。ゲスト参加者を招待する場合には、ユーザ選択画面（不図示）が表示され、ユーザ情報を検索して招待するユーザの選択をする。
【００４８】
会議の録画設定５０８は、予約する会議の録画を許可するか否かの設定を受け付ける。なお図４のルーム登録画面において４０５で録画機能を「許可しない」に設定していた場合には、５０８の各項目はグレーアウトをして選択ができない状態となる。
【００４９】
予約ボタン５０９の押下を受け付けると、会議の予約が完了する。会議の予約が完了すると、会議サーバ１０１は、会議の予約情報をサーバの記憶部に記憶し、会議予約データテーブル（不図示）を更新する。また、予約ボタン５０９の押下を受け付けると、予約をしたユーザおよび会議に招待されたユーザのメールアドレスに対して、会議予約メールが送信されるようにしてもよい。
【００５０】
図６は、本発明の実施形態に係わるクライアント装置１０２に表示される会議に参加する画面の一例である。本画面を通して、クライアント装置１０２のユーザは、予約している会議に参加することができる。本実施の形態において会議参加画面は、本実施形態の会議システムの一般ユーザアカウントでシステムにログインをし、画面左側の「会議参加６０１」の領域を押下することにより、会議参加画面がディスプレイに表示される。図６で表示されている会議室は、ログイン中のユーザアカウントが、会議の参加者として登録されている会議の一覧である。図６では、ルームＡとルームＢの２つの会議室が予約されており、参加ボタン６０２の押下を受け付けることにより選択した会議室の会議に参加することが可能である。
【００５１】
次に図７〜図１４を用いて、会議システムの処理に関連するデータ構成、関連するＧＵＩ、発言に対する議題の変更について説明する。
【００５２】
図７は、本発明の実施形態に係わる会議の予約情報が登録されている会議リスト記憶部と予約された会議に設定された議題が登録されている議題記憶部のデータ構成の一例を示す図である。
会議リスト記憶部７００は、図５で説明された会議予約のＧＵＩ（グラフィカル・ユーザ・インタフェース）のうち、本発明の実施に係わる部分のデータ項目を登録した例である。各会議に関する情報は、会議ＩＤ７０１、会議名７０２、場所７０３、日付７０４、開始時間７０５、終了時間７０６等のデータ項目から構成されるデータベースである。
【００５３】
開始時間７０５、終了時間７０６に基づき、後述のフローチャートで説明する会議全体の時間管理が行われる。
【００５４】
議題記憶部７１０は、会議リスト記憶部７００に登録された１つの会議に対応する、１または複数の議題を記憶する。
【００５５】
会議ＩＤ７１１、議題ＩＤ７１２（話題ＩＤ）、議題７１３（話題）、議論時間７１４（話題時間）等のデータ項目により構成されるデータベースである。以下、特に断らずとも「議題」と「話題」は本発明においては同等の意味として説明を進める。
【００５６】
会議ＩＤ７１１に対して、１または複数の議題ＩＤ７１２が対応付けられている。
【００５７】
議題７１３は、議題ＩＤ７１２ごとに設定された、人間が認識可能な議題名である。議論時間７１４は、議題毎に使用してもよい時間を表す。図７の例では、“％”で記載されており、例えば、会議ＩＤが“１”の会議に対しては、３つの議題（議題ＩＤ７１２が、“１”、“２”、“３”）があり、それぞれに議論時間７１４が“４０％”、“４０％”、“２０％”が割り当てられる。ここでは、“％”で表現されているが、具体的に時間が設定されていてもよい。例えば、“２４分”、“２４分”、“１２分”などである。合計で１００％または、会議のトータル時間である開始時間７０５から終了時間７０６までの時間に一致すればよい。
【００５８】
以下、会議リスト記憶部７００、議題記憶部７１０をあわせて、会議情報記憶部と呼び、また会議情報記憶部に登録される１つの会議に関するデータ項目を会議情報と呼ぶこともある。
【００５９】
図８は、本発明の実施形態に係わる進行中の会議の議題を切り替えるためのきっかけとなる単語が登録される議題切替単語記憶部と、各議題で使用される特徴的な単語が登録される議題別単語記憶部のデータ構成の一例を示す図である。
議題切替単語記憶部８００は、発言種別８０１、議題切替単語８０２等のデータ項目により議題切替情報として構成されるデータベースである。
【００６０】
発言種別８０１は、対応する議題切替単語８０２に記載されている単語が、“議題切替”を特定する発言に含まれる単語か、“会議終了”を特定する発言に含まれる単語かを示している。
【００６１】
議題切替単語８０２は、議題が複数ある場合に、議題を切り替えるか否か、あるいは会議を終了するか否かの判定処理を実行するきっかけとなる単語である。
【００６２】
議題別単語記憶部８１０は、会議ＩＤ８１１、議題ＩＤ８１２、議題別単語８１３等のデータ項目から構成される（議題別単語情報の）データベースである。後述のフローチャートで説明するように、各会議の各議題に特徴的な単語を、予め登録しておくことにより、発言の中にその単語が出現した場合に議題切替の判定処理に使用する。
【００６３】
図９は、本発明の実施形態に係わる議題切替単語と、議題別単語を登録するためのＧＵＩ（グラフィカル・ユーザ・インタフェース）の一例を示す図である。
【００６４】
議題切替用単語登録画面９００は、図８の議題切替単語記憶部８００を会議システムの管理者などが編集するためのＧＵＩである。
切替単語入力欄９０１は、議題を切り替えるためのキーワードとなる可能性のある単語（文字列）を入力するテキスト入力欄である。切替単語入力欄９０１で入力した単語を、議題切替単語（発言種別８０１が“議題切替”であるもの）として登録するためには議題切替単語ボタン９０２を押下する。会議を終了するためのキーワードとなる可能性のある単語（発言種別８０１が“終了”であるもの）として登録するためには、終了単語登録ボタン９０５を押下する。
【００６５】
登録された単語は、議題切替単語の場合は９０４、終了単語の場合は９０７にそれぞれ表示される。
【００６６】
登録された単語を削除したい場合、議題切替単語の場合は９０４に表示された単語を選択し、議題切替単語削除ボタン９０３を押下する。終了単語の場合は９０７に表示された単語を選択し、終了単語削除ボタン９０６を押下する。
【００６７】
議題別単語登録画面９１０は、図８の議題別単語記憶部８１０を、会議の予約者などが編集するためのＧＵＩである。
【００６８】
会議選択欄９１１においては、単語を登録する会議を選択する。議題別単語記憶部８１０の会議ＩＤ８１１を特定することに相当する。議題選択欄９１２においては、単語を登録する議題を選択する。議題別単語記憶部８１０の議題ＩＤ８１２を特定することに相当する。いずれも図７の記憶部等に基づきリストを作成し、そのリストから選択させる。議題選択欄９１２ａにおいては“議題１”、議題選択欄９１２ｂにおいては“議題２”においては“議題２”を選択しているため、それぞれの議題に対応する特徴的な単語を編集することが可能となる。
【００６９】
議題別単語登録画面９１０ａでは、会議選択欄９１１で“Ａプロジェクト・・・”を、議題選択欄９１２ａで“議題１”を選択した状態なので、図８の議題別単語記憶部８１０において、会議ＩＤ８１１＝“１”、議題ＩＤ８１２＝“１”に対応する３つの議題別単語８１３＝“品質、目標、設定”が９１６ａに表示されている。
【００７０】
同様に議題別単語登録画面９１０ｂにおいては、会議選択欄９１１で“Ａプロジェクト・・・”を、議題選択欄９１２ａで“議題２”を選択した状態なので、“スケジュール、コスト”が９１６ｂに表示されている。
【００７１】
議題決定単語入力欄９１３は、議題を決定するためのキーワードとなる可能性のある単語（文字列）を入力するテキスト入力欄である。議題決定単語入力欄９１３で入力した単語を、議題決定単語として登録するためには単語登録ボタン９１４を押下する。また、登録された単語を削除したい場合には、９１６に表示された単語を選択し、単語削除ボタン９１５を押下する。
【００７２】
図１０は、本発明の実施形態に係わる会議システムを用いた会議を実施する際のＧＵＩの一例を示す図である。現在開催中の（あるいは開催しようとしている）会議の情報を表示するＧＵＩ（１０００）である。
会議アジェンダ１０１０の枠には、議題情報１０１１、経過時間１０１２、残時間１０１３、議題変更ボタン１０１４が配置されている。会議アジェンダ１０１０には、現在開催されている会議における１または複数の議題に対応して、１組の１０１１〜１０１４が配置されている。図１０の例では、議題が２つあり、それぞれ“議題１”、“議題２”として対応付けられている。
【００７３】
各議題に対する議題情報１０１１には、実際には“議題ＩＤ：議題”（議題ＩＤは図７の議題ＩＤ７１２、議題は図７の議題７１３に対応。“議題１”、“議題２”などとして表示）が表示される。
【００７４】
経過時間１０１２には、当該議題のために費やされた時間が表示される。開始されてからの時間ではなく、例えば議題１が一旦中断して議題２に移行し、さらに議題１に戻ってきた場合には、議題１に対して費やした時間の累計が経過時間１０１２に表示される。残時間１０１３には、当該議題に予め割り当てられた時間から経過時間１０１２を差し引いた時間が表示される。
【００７５】
議題変更ボタン１０１４（例えば“議題１発言”と記載されているボタン）は、後述する通り、音声認識と議題の自動判定により、発言に設定された議題（議題１０２１）に誤りがある場合に、手動で訂正するためのボタンである。
【００７６】
１００１〜１００４には、会議全体の操作ボタンおよび情報が配置されている。会議開始ボタン１００１をユーザが押下することで会議が開始され、音声認識を用いた議事録の自動生成、経過時間のカウントなどの処理が開始される。会議終了ボタン１００２をユーザが押下することで会議が終了する。会議の終了は音声認識により文字に変換された発話に含まれる単語により、議題切替単語記憶部８００の発言種別が“終了”の登録単語に基づいて自動的に判定される場合と、当該ボタンによる場合とがある。自動判定については後述する。
【００７７】
経過時間１００３は、会議が開始された時刻（あるいは図７の開始時間７０５でもよい）から現在時刻までの時間、残時間１００４は、終了時間７０６と現在時刻の差分が表示され、会議の進捗が時間的な意味で順調か否かをユーザに提示する。
【００７８】
議事録１０２０の枠には、音声認識により自動生成された議事録が表示される。具体的には、議題１０２１（図７の議題ＩＤ７１２に対応。“議題１”、“議題２”などとして表示）、発言１０２２が対応付けられて表示される。また、スクロールバー１０２３は、発言の行数が表示枠に収まらない場合に、前方・後方の発言を見るために移動する。
【００７９】
図１１は、本発明の実施形態に係わる会議システムを用いた会議におけるＧＵＩの議事録の一例を示す図である。図１０の議題１０２１、発言１０２２の部分のみを取り出して説明するものである。
１１０１で示される発言には、“それでは”、“始めます”など、図８の議題切替単語記憶部８００における発言種別８０１が“議題切替”に対応する単語が含まれている。これらの単語が出現することで、会議システムは、議題が何であるかを判定する。具体的には、図８の議題別単語記憶部８１０の会議ＩＤ８１１（現在進行中の会議ＩＤは１とする）が“１”における議題ＩＤが“１”から“３”に対応する議題別単語８１３に含まれる単語が発言にあるか否かをチェックする。
【００８０】
ここで、対応する単語は登録されていないが、図７の議題記憶部７１０の議題７１３（議題名）は、デフォルトとして議題別単語８１３に含まれているものとする。１１０１で示される発言の場合には、“Ａプロジェクト外部設計フェーズ終了判定”という議題が、発言に含まれているため、“議題１”が対応付けられる。それ以降、議題切替単語記や議題別単語が出現しなければ、同じ議題ＩＤのまま議事録の自動生成が継続する。
【００８１】
１１０２で示される発言には、“それでは”、“次に”など、図８の議題切替単語記憶部８００における発言種別８０１が“議題切替”に対応する単語が含まれている。さらに、“スケジュール”、“コスト”など、図８の議題別単語記憶部８１０の会議ＩＤ８１１が“２”に対応する単語も含まれている。そのため、議題が自動判定により“議題２”に切り替わって表示される。
【００８２】
図１２は、本発明の実施形態に係わる会議中の発言を音声認識により文字列化したデータを、発言情報として記憶する発言記憶部のデータ構成の一例を示す図である。
基本的には図１１で説明した議事録をそのままデータベースに取り込む。取り込んだままの状態では、発言記憶部１２００ａの状態になる。たとえば、発言Ｎｏ１２０２が“７８”、“７９”の２つの発言は、議題ＩＤ１２０６に“２”が対応付けられている。これは、図１１の議事録自動生成のままで登録されたことによる。
【００８３】
次に、図１３と図１４および前述の図１１、図１２の発言記憶部１２００を用いて、議事録における発言から自動判定した議題ＩＤを手動で変更する操作を説明する。
図１３は、本発明の実施形態に係わるＧＵＩ上に表示された議事録において、発言に誤った議題が対応付けられた場合に、当該発言の範囲が指定された状態の一例を示す図である。
【００８４】
１３００の議事録の状態において１３０１で示された２つの発言は、自動判定においては“議題２”に対応するものとして登録された。この状態が図１２の発言記憶部１２００ａに反映されている。しかし、実際には“議題１”に対応するものであり、ユーザは“議題１”に変更したいとする。その場合、ユーザは、これら２つの発言（１３０１）を選択する（太線で強調表示）。
【００８５】
その上で、図１１の議題変更ボタン１０１４のうち、“議題１発言”と表示されているボタンを押下する。
【００８６】
図１４は、本発明の実施形態に係わるＧＵＩ上に表示された議事録において、誤った議題が対応付けられた発言を指定して正しい議題に対応付けた状態の一例を示す図である。すなわち、図１４は、前述の操作により、１３０１に対応する２つの発言が、“議題１”に変更された状態を示す（１４０１）。
【００８７】
さらにこの状態は、図１２の発言記憶部１２００ｂに反映されている。以上で自動判定で誤った議題が設定された場合に、ユーザが手動で議題を変更する操作についての説明を完了する。
【００８８】
次に図１５〜図１９のフローチャートを用いて、会議システムにおける会議の進行、議事録の自動生成、議題の自動判定などの処理について説明する。会議システムのうち、これらのフローチャートの各ステップの処理を行うのは会議サーバ１０１であっても、クライアント装置１０２のうちの１台であってもよい（これらのうちのＣＰＵ２０１）。あるいは、会議サーバ１０１またはクライアント装置１０２のうちのいずれか複数台に処理を分割しても良い。例えば、音声認識はそれぞれのクライアント装置１０２において、その他の処理は会議サーバ１０１において処理することが可能である。
【００８９】
また、前述の情報処理装置が、クライアント装置１０２からのユーザの操作を受け付ける、あるいはクライアント装置１０２に表示させるためのデータを受け渡す、などの表現をする場合がある。これらについては、情報処理装置がクライアント装置１０２そのものである場合には、自身の他の処理をするモジュール（機能部など）から、あるいはモジュールとの間でのデータの受け付け／受け渡しを含むものとする。
【００９０】
図１５は、本発明の実施形態に係わる会議の開始から終了までの全体制御の処理を示すフローチャートの一例である。図１５のフローチャートにおける各ステップは、情報処理装置のＣＰＵ２０１によって実行される。
【００９１】
Ｓ１５０１においては、ユーザの操作に基づいて会議を選択する。具体的には、図７の会議リスト記憶部７００において登録された（予約された）会議の一覧をユーザに提示し、ユーザの選択を受け付ける。また、ユーザのログイン情報から予約された会議が一意に特定される場合には、その特定に対応する処理であっても良い。
【００９２】
Ｓ１５０２においては、議事録作成画面をそれぞれのクライアント装置１０２に表示させる。具体的には図１０のＧＵＩを表示させる。なお、この画面は会議の進行に伴いリアルタイムで情報を更新する。
【００９３】
Ｓ１５０３においては、ユーザにより会議開始ボタン（図１０の１００１）が押下されたことを受け付け、会議を開始する。これにより時間の計測などを開始する。
【００９４】
Ｓ１５０４、Ｓ１５０５、Ｓ１５０６、Ｓ１５０７（およびＳ１５０８を含む）の４つのステップで説明される処理は、非同期に実行される。従って、下記の説明順はあくまで記述の便宜上のものに過ぎない。
【００９５】
Ｓ１５０４においては、各参加者の発言を音声認識し、文字列に変換してＳ１５０５の議事録作成処理に渡す。音声認識については周知の技術であるため、詳細の説明は行わない。
【００９６】
Ｓ１５０５においては、各参加者の発言を文字列として受け取り、議題の判定、発言記憶部１２００への発言の書き込み、図１０のＧＵＩへの発言の表示（議事録の表示）、等、議事録作成に関する処理を行う。詳細は図１６のフローチャートを用いて後述する。
【００９７】
Ｓ１５０６においては、現在時刻および会議リスト記憶部７００に記載された会議の開始時間７０５、終了時間７０６に基づいて、会議の時間管理を行う。また、議題記憶部７１０に記載された会議内の各議題の時間割り当てに応じて、時間管理を行う。ここで、時間管理とは会議全体および議題毎に使用した時間の累計の算出、および指定された時間（あるいは時間の割合）を経過した場合のアラートを、図１０のＧＵＩに表示させることなどである。詳細は、図１７のフローチャートを用いて後述する。
【００９８】
Ｓ１５０７においては、会議を終了するか否かを判定する処理を行う。自動判定またはユーザによる手動操作に従って判定される。詳細は、図１８のフローチャートで後述する。判定結果として、会議を終了する場合には、“終了フラグ”が“ＯＮ”に設定され、図１８のフローチャートから返される。
【００９９】
Ｓ１５０８においては、前述の判定により会議を終了するか否かによる分岐を行う。具体的には、終了フラグがＯＮの場合は、Ｓ１５０９に進む。終了フラグがＯＮ出はない場合には、Ｓ１５０４〜Ｓ１５０７の非同期処理をそのまま継続する。
【０１００】
Ｓ１５０９においては、進行中の会議の終了処理をする。具体的には、前述の非同期で実行されている４つの処理（Ｓ１５０４〜Ｓ１５０７）を完了させる。また、議事録の作成を終了するために発言記憶部１２００（データベース）に対する完了指示発行などを行う。
以上により、図１５のフローチャートの説明を完了する。
【０１０１】
図１６は、本発明の実施形態に係わる音声処理から取得した発言に対して、議題の特定、クライアント装置への表示、発言記憶部１２００に登録する処理を示すフローチャートの一例である。
【０１０２】
Ｓ１６０１においては、Ｓ１５０４にて会議参加者がした発言の音声認識結果を、文字列として非同期に受け取る。
【０１０３】
Ｓ１６０２においては、議題切り替えの自動判定処理を行う（議題判定部）。詳細には図１９または図２０のフローチャートで後述する。
【０１０４】
Ｓ１６０３においては、Ｓ１６０１に受け取った発言の文字列と、Ｓ１６０２で判定した議題を、発言記憶部１２００に登録する（発言登録部）。この際、発言開始時間１２０４と発言終了時間１２０５も記録する。正確には、その参加者の発言が開始された時間ではなく、前のユーザの発言が終了した時点から計測する、あるいはそのユーザの発言時間の他に、参加者同士の発言の合間の時間も前後いずれかの参加者の発言に紐付けて別に記録するなどする。それにより、後で特定の議題の発言時間に使用された時間全てを経過時間（図１０の１０１２）を算出可能としておく。
【０１０５】
Ｓ１６０４においては、前述の発言文字列と、その発言に対して判定された議題を議事録として（例えば図１０の１０２０の欄など）表示し、会議の参加者のクライアント装置１０２（の全て、あるいは議事録を管理するための指定されたユーザのクライアント装置１０２のみであってもよい）に提示する。
【０１０６】
Ｓ１６０５においては、議事録において議題を変更するためにユーザにより発言の範囲が指定されているか否かを判定する（例えば図１３の１３０１の２つの発言）。範囲が指定されている場合（“あり”の場合）には、Ｓ１６０６に進む。範囲が指定されていない場合（“なし”の場合）には、図１６のフローチャートを完了する。
【０１０７】
Ｓ１６０６においては、Ｓ１６０５においてユーザにより選択された範囲の発言に対して、ユーザが選択した議題への変更操作を受け付ける（議題変更受付部）。例えば図１３の１３０１の範囲選択に対し図１０の議題変更ボタン１０１４のうち、“議題１発言”と記載されたボタンを押下するユーザの操作を受け付けて、１３０１で“議題２”と表示されていた２つの発言を図１４の１４０１の通り“議題１”に変更する。
【０１０８】
Ｓ１６０７においては、Ｓ１６０６にあわせて、発言記憶部１２００の議題ＩＤも変更する。具体的には図１２の発言記憶部１２００ａにおける“自動判定結果”で議題ＩＤ１２０６の値が“２”となっているところに対し、発言記憶部１２００ｂのように“人手操作変更結果”の値が“１”と変更される。
以上で、図１６のフローチャートの説明を完了する。
【０１０９】
図１７は、本発明の実施形態に係わる会議および各議題に予め設定された時間に基づき、残り時間を計測してアラートを提示する処理を示すフローチャートである。
【０１１０】
Ｓ１７０１においては、現在時刻を取得する。例えば、情報処理装置のハードウェアやＯＳから時刻を取得する
【０１１１】
Ｓ１７０２においては、現在開催中の会議の各議題に使用した経過時間（議題経過時間）を算出する。具体的には、図１２の発言記憶部１２００において、現在開催中の会議の会議ＩＤ１２０１における各々の議題ＩＤ１２０６に対する発言時間（発言Ｎｏ１２０２ごとの発言開始時間１２０４から発言終了時間１２０５）の累計を、会議の開始から現在時刻まで算出する。前述の通り、誰も発言していない時間も、その前後の発言の時間と紐付けられていると考えて良く、累計の算出には組み込まれる。一方で、いったん異なる現在進行中の議題から他の議題に移った後でも、また元の議題に戻ることがあるため、この累計時間は、ある議題に対して最初の発言がなされてから現在時刻までとは限らない。
【０１１２】
Ｓ１７０３においては、議題にかかわらず会議に使用した総時間（会議経過時間）を算出する。具体的には、Ｓ１７０２で議題毎に算出した議題経過時間の全てを合算する。あるいは、会議開始時間からＳ１７０１で取得した現在時刻までの差分に基づいて算出しても良い。
【０１１３】
Ｓ１７０４においては、会議経過時間、議題経過時間のＧＵＩへの表示を行う。具体的には、クライアント装置１０２のＧＵＩ（図１０の１０００）の１００３には会議経過時間、１０１２には各議題の番号が対応するところに各々の議題経過時間を表示する。
【０１１４】
Ｓ１７０５においては、各議題の残時間が、議題残時間基準値以下であるか否かを判定する（議題残時間判定部）。議題残時間基準値は当該議題に割り当てられた時間の一定の割合（％）であってもよいし、例えば“５分”などの時間であっても良い。これらの割合、または時間は不図示の閾値記憶部に記憶されている。また、議題残時間と議題残時間基準値の比較においては、“議題残時間基準値以下”であってもよいし“議題残時間基準値未満”であってもよい。いずれの場合も、本発明の請求項における“議題残時間と議題残時間基準値の比較に基づいて”に含まれるものとする。以下便宜上“議題残時間基準値以下”と表現する。議題残時間が議題残時間基準値以下である場合には、Ｓ１７０６に進む。そうでない場合にはＳ１７０７に進む。
【０１１５】
Ｓ１７０６においては、議題残時間のアラート表示をさせるべく各々のクライアント装置１０２に通知する（議題残時間アラート通知部）。例えば、図１０の会議アジェンダ１０１０における対応する議題の残時間１０１３の表示形態を、強調表示（色の変更、立体的な表示にするなど）することにより、会議の参加者にその議題に対応する残時間が少ないことを知らせるための表示を行う。図２１を用いて、残時間の警告画面の例を説明する。
【０１１６】
図２１は、本発明の実施形態に係わる議題残時間が閾値を下回った場合の警告画面の一例を示す図である。即ち、例えば図２１にＧＵＩ（図１０と同じもの）における会議アジェンダ１０１０の残時間１０１３を強調する様子を示す。この図によると、議題１の残時間１０１３のボタン枠が強調されることで、残時間が少ないことを知らせる。
【０１１７】
また、例えば前述の“議題残時間基準値”にしたがって、別画面のように警告ダイアログ２１００を表示して警告してもよい。ユーザが警告に対して、残時間内でその議題を完了する場合には確認ボタン２１０１を押下して会議の情報を表示するＧＵＩ（１０００）に戻る。あるいは時間配分を変更する場合には、ユーザは時間配分変更ボタン２０１２を押下して、図７の会議リスト記憶部７００や議題記憶部７１０を変更するＧＵＩ（不図示）を表示させてもよい。会議の開始時間７０５、終了時間７０６の範囲で、時間の配分である議論時間７１４を調整してもよいし、会議時間が延長可能（終了時間７０６を延長可能）な場合には、延長してもよい。
【０１１８】
Ｓ１７０７においては、会議全体の残時間が、会議残時間基準値以下であるか否かを判定する（会議残時間判定部）。会議残時間基準値は会議議題に割り当てられた時間の一定の割合（％）であってもよいし、例えば“５分”などの時間であっても良い。これらの割合、または時間は不図示の閾値記憶部に記憶されている。また、会議残時間と会議残時間基準値の比較においては、“会議残時間基準値以下”であってもよいし“会議残時間基準値未満”であってもよい。いずれの場合も、本発明の請求項における“会議残時間と会議残時間基準値の比較に基づいて”に含まれるものとする。以下便宜上“会議残時間基準値以下”と表現する。会議残時間が会議残時間基準値以下である場合には、Ｓ１７０８に進む。そうでない場合には図１７のフローチャートを完了する。
【０１１９】
Ｓ１７０８においては、会議残時間をアラート通知する（会議残時間アラート通知部）。例えば、図１０の残時間１００４の表示形態を、強調表示（色の変更、点滅させる、立体的な表示にするなど）することにより、会議の参加者に会議全体の残時間が少ないことを通知する。また、他のメッセージボックスをクライアント装置１０２に表示させて通知しても良い（例えば図２１のダイアログ２１１０）。ここで、会議時間延長ボタン２１０２をユーザが押下することで、Ｓ１７０６で説明したのと同様に、図７の会議リスト記憶部７００や議題記憶部７１０を変更するＧＵＩ（不図示）を表示させてもよい。会議時間が延長可能（終了時間７０６を延長可能）な場合には、延長してもよいし、その上で、変更後の会議の開始時間７０５、終了時間７０６の範囲で、時間の配分である議論時間７１４を調整してもよい。
【０１２０】
図１８は、本発明の実施形態に係わる発言内容のキーワードから会議の終了を判定する処理を示すフローチャートの一例である。
【０１２１】
Ｓ１８０１においては、ユーザにより会議終了ボタン（例えば図１０の１００２）が押下されたか否かを判定する。押下された場合（ＹＥＳの場合）には、Ｓ１８０６に進む。押下されていない場合（ＮＯの場合）には、Ｓ１８０２に進む。
【０１２２】
Ｓ１８０２においては、終了キーワードの自動判定を行う。具体的には、会議の参加者の発言に、図８の議題切替単語記憶部８００において発言種別８０１が“終了”である議題切替単語８０２に該当する終了キーワードが含まれているかどうかをチェックする。
【０１２３】
Ｓ１８０３においては、Ｓ１８０２の自動判定処理において、終了キーワードが含まれているか否かにより分岐させる。具体的には、終了キーワードが含まれている場合（“終了”の場合）には、Ｓ１８０４に進む。終了キーワードが含まれていない場合（“継続”の場合）には、図１８のフローチャートを終了する。すなわち、後述する“会議終了フラグ”をＯＮに設定せず図１８のフローチャートを終了する。
【０１２４】
Ｓ１８０４においては、会議を終了して良いか否かを会議の参加者に問い合わせる。具体的には、いずれかのクライアント装置１０２に、会議終了確認ダイアログ（不図示）を表示させ、参加者は、Ｓ１８０２の自動判定により“終了”とされた結果、本当に会議を終了して良いか否かを指定する。その結果を情報処理装置が受け付ける。
【０１２５】
Ｓ１８０５においては、Ｓ１８０４により受け付けた参加者の判断に基づき、会議を継続させる場合（“継続”の場合）には、図１８のフローチャートを終了する。会議を終了させる場合（“終了”の場合）には、Ｓ１８０６に進む。
【０１２６】
Ｓ１８０６においては、会議終了フラグをＯＮに設定する。なお、図１８のフローチャートにおいて、会議終了フラグを明示的にＯＮにする、と記載していない場合には、会議終了フラグはＯＦＦでフローチャートを完了しているものとする。
以上で、図１８のフローチャートの説明を完了する。
【０１２７】
図１９は、本発明の実施形態に係わる発言内容から議題を特定する処理を示すフローチャートの一例である。図１９のフローチャートの処理は、図１６のフローチャートのＳ１６０２の詳細処理であり、文字列化された発言をチェックし、議題を判定するための処理である。
【０１２８】
Ｓ１９０１においては、前述の文字列化された発言において、議題切替単語を検索する。具体的には、図８の議題切替単語記憶部８００の発言種別８０１が“議題切替”であるものに相当する議題切替単語８０２に登録された単語が、文字列化された発言あるか検索する。
【０１２９】
Ｓ１９０２においては、Ｓ１９０１で検索した結果、議題切替単語が発話内に含まれるか否かを判定結果により分岐をさせる。“あり”の場合には、Ｓ１９０９に進む。“なし”の場合には、Ｓ１９０３に進む。
【０１３０】
Ｓ１９０３においては、前述の文字列化された発言において、議題別単語を検索する。具体的には、図８の議題別単語記憶部８１０の会議ＩＤ８１１が、現在進行中の会議に一致ししているもののうち、議題別単語８１３を発言から検索する。検索結果として、議題別単語が発言の中に存在すれば、対応する当該議題別単語を含む議題ＩＤ８１２を取得する。
【０１３１】
Ｓ１９０４においては、Ｓ１９０３で検索結果として取得した、議題ＩＤが存在するか否かを判定する。存在する場合（“あり”の場合）には、Ｓ１９０６に進む。存在しない場合（“なし”の場合）には、Ｓ１９０５に進む。
【０１３２】
Ｓ１９０５においては、現在進行中の議題ＩＤを議題進捗設定記憶部（不図示の進行中の議題ＩＤを格納する変数）に継続して実施する議題として設定したままとする。
【０１３３】
Ｓ１９０６においては、発言中の議題別単語が複数であり、かつそれらの議題別単語が異なる議題ＩＤに対応するか否かを判定する。１つの議題ＩＤに対応する場合（ＮＯの場合）には、Ｓ１９０７に進む。複数の議題ＩＤに対応する場合（ＹＥＳの場合）には、Ｓ１９０８に進む。
【０１３４】
Ｓ１９０７においては、議題ＩＤが１つに特定できるため、その議題ＩＤを設定し（議題進捗設定記憶部）、図１９のフローチャートを終了する。
【０１３５】
Ｓ１９０８においては、異なる議題ＩＤに対応する議題別単語が複数あるため、いずれの議題ＩＤを選択するか決定する処理となる。決定された議題ＩＤは、現発言議題ＩＤ記憶部（不図示）に記憶されるようにしてもよいし、後述する図２３に示すように現発言議題記憶部２３００に、全ての議題ＩＤがリストとなっており、現在の議題ＩＤがプログラムにおいて識別可能になっている構成でもよい。
【０１３６】
この処理は、会議システムの運用上の目的において様々の実装をすることが可能である。また、様々な実装を設定により切り替えることも可能である。例えば、異なる議題別単語ＩＤに属する議題別単語のうち、いずれの数が多いかにより（すなわち議題別単語数の多寡により）決定する方法が考えられる。この場合、同じ数である場合には、同会議において検討する議題のうち、現在検討中の議題に最も近いもの（図７の議題記憶部７１０の登録順において近いもの）としてもよい。例えば“議題１”を検討中に、“議題２”、“議題３”の議題別単語が複数出現した場合には、“議題１”により近い“議題２”に議題が切り替わる、ということである。
【０１３７】
また、現在の議題に対して、議題の距離が同一である（現在の議題を挟んで前後に隣り合った議題など）場合には、前の議題に戻るか後方の議題に進むか、などを前述の議題進捗設定記憶部にて、予め会議システムの管理者や、会議の予約者などにより設定されていても良い。また、現在の議題が常に優先されるものとし、多数決で他の議題の議題別単語が多かったとしても、現在の議題の議題別単語が１つでもあれば、現在の議題を継続する、とすることも可能である。
【０１３８】
いずれにしても、Ｓ１９０８における決定処理には様々な実装が可能であり、これら全て本発明の実施形態に含む。以上のＳ１９０３からＳ１９０８の処理が、議題別単語記憶部８１０に記憶された単語を用いた議題判定部の詳細となる。
【０１３９】
Ｓ１９０９においては、議題切替単語（“それでは”、“次に”など図８の発言種別８０１が“議題切替”であるもの）による議題切替処理である。具体的には、前述のような議題別単語が特定されることなく議題が切り替わるものであり、デフォルトとして図７の議題記憶部７１０に記憶された現在進めている会議の会議ＩＤに対応する“次の議題”に議題を進める。
【０１４０】
以上、図１９のフローチャートの処理は、まず議題切替単語（「次に」など特定の議題ではなく、次の議題に進める単語）の存在を確認し、存在すれば次の議題を切り替える。さらに、議題切替単語がなければ議題別単語（他のいずれかの議題の内容を特徴付ける単語）の存在を確認し、特定の議題に切り替える。すなわち、まずは“次の議題”、そうでなければ“特徴的な単語によるいずれかの議題”という判断を自動的に行う、ということにより特徴づけられる。
以上により図１９のフローチャートの処理についての説明を完了する。
【０１４１】
＜第２の実施形態＞
一方、“次の議題”、そうでなければ“特徴的な単語によるいずれかの議題”という判断を逆にしたフローチャートを図２０により説明する。
【０１４２】
図２０は、本発明の第２の実施形態に係わる発言内容から議題を特定する処理を示すフローチャートの一例である。個々のステップにおける処理は、図１９と全く同じであるため、詳細の説明は省略する。実行する順番は異なるが、同じ処理であるものについては、同一のステップ番号を付与する。図２０のフローチャートによる処理は、まず議題別単語（他のいずれかの議題の内容を特徴付ける単語）の存在を確認し、特定の議題に切り替える。さらに、議題別単語がなければ議題切替単語の存在を確認し、存在すれば次の議題を切り替えるものである。
以上で、図２０のフローチャートの処理についての説明を完了する。
【０１４３】
＜第３の実施形態＞
第３の実施形態では、現在の議題が複数である場合について説明する。すなわち、図１９のフローチャートにおけるＳ１９０８の説明において、「議題別単語数の多寡」、「議題の距離（距離が同一である（現在の議題を挟んで前後に隣り合った議題など）場合には、前の議題に戻るか後方の議題に進むか）」、「現在の議題が常に優先」などにより議題を決定する方法がある旨を説明した。これらの決定方法により同点（単語数が同じ、距離が同じ）などの場合に、現在の議題を１つの決定しなくともよい。また、同点ではなくとも１つに決定する必要はない（可能性のある議題を複数使用する）。さらに、同点か同点でないか、決定された議題が幾つあるか、等により時間を適切に配分するようにしてもよい（図１７のＳ１７０２などにおける処理で複数の議題に配分する）。
【０１４４】
図２２は、本発明の実施形態に係わる発言内容が、複数の議題に属すると判定された場合の議事録の表示画面の一例を示す図である。
議事録（２２００）においては、画面下方に表示された発言（２２０１）に、議題１と議題２が設定されている。すなわち、２つの議題が割り当てられ、議事の時間も配分されることになる。
【０１４５】
図２３は、本発明の実施形態に係わる現在進行中の発言内容が、いずれの議題に属するかを管理する現発言議題記憶部のデータ構成の一例を示す図である。現発言議題記憶部２３００は議題ＩＤ（２３０１）を、議題時間処理２３０２は２３０１で示された議題ＩＤに対する時間をどのように分配するか、などを規定する情報を設定する。
【０１４６】
現発言議題記憶部２３００ａにおいては、３つある議題ＩＤ２３０１ａのうち、２つには“ｔｒｕｅ”、残りの１つには“ｆａｌｓｅ”が設定され、“ｔｒｕｅ”が設定されている２つの議題ＩＤにおいて、会議の経過時間を等分する。
【０１４７】
現発言議題記憶部２３００ｂにおいては、議題１に“６０％”、議題２に“４０％”、議題３に“０％”と設定され、その比率に基づいて会議の経過時間を分配する。
＜第４の実施形態＞
【０１４８】
図１３、図１４の説明において、議事録における発言から自動判定した議題ＩＤを手動で変更する操作について説明した。そこでは、ユーザが議事録中の変更したい発言を「全て」選択して議題変更ボタン１０１４を押下したが、第４の実施形態では、最初に選択した発言から後続する発言に対して、異なる議題ＩＤに対応する、と判定されるまで自動的に発言に対応する議題ＩＤをユーザが変更した議題ＩＤにする。
【０１４９】
図２４は、本発明の実施形態に係わるＧＵＩ上に表示された議事録において、誤った議題が対応付けられた発言を指定して正しい議題に対応付けた状態の一例を示す図である。
【０１５０】
ユーザは、音声認識の結果として議事録に表示された発言２４０１（文字列）を選択したとする。この後、図１０の議題変更ボタン１０１４を押下すると、発言２４０１の後方の発言に対して、図１９のフローチャートで示される議題変更処理（図１６のステップＳ１６０２）と同様の処理により、議題ＩＤの再判定を行う。すなわち、発言２４０１が、ユーザの操作に従って変更された議題ＩＤである場合にいずれの議題ＩＤとなるかを後方の発言に対して１つずつ判定していく。
【０１５１】
図２４においては、複数の発言（範囲としての２４０２）が議題１に自動的に再判定されている。また、発言２４０３は、議題２であると自動的に再判定され、ここで発言２４０１が議題１に変更された事による再判定を終了する。
【０１５２】
図２５は、本発明の実施形態に係わる発言内容の議題をユーザが変更した場合の処理を示すフローチャートの一例である。図１６のフローチャートで説明したステップであるＳ１６０２、Ｓ１６０６、Ｓ１６０７を再利用するため、その部分は説明を省略する。Ｓ１６０６、Ｓ１６０７は複数回再利用しているため図２５のフローチャートの中では“ａ”〜“ｃ”の接尾辞を付けて便宜上区別しているが、処理はＳ１６０６、Ｓ１６０７と同じである。図２５のフローチャートの各ステップを処理するのは、会議システムのうち、これらの処理を行うのは会議サーバ１０１であっても、クライアント装置１０２のうちの１台であってもよい（これらのうちのＣＰＵ２０１）。あるいは、会議サーバ１０１またはクライアント装置１０２のうちのいずれか複数台に処理を分割しても良い。例えば、音声認識はそれぞれのクライアント装置１０２において、その他の処理は会議サーバ１０１において処理することが可能である。
【０１５３】
Ｓ２５０１においては、ユーザの議事録操作によって議題を変更する発言を受け付けたか否か、受け付けた際には、第１の実施形態で説明した範囲指定か、第４の実施例で説明する「開始位置指定」か、を判定する。
【０１５４】
例えば、クライアント装置１０２において範囲指定する場合には、範囲指定であると判定することができるが、１つの発言のみを選択する場合には、ユーザの操作を異なるものとする。例えば、マウスで１回クリック（ＯＮ）された場合には範囲指定として１つの発言のみが指定されたか、あるいは引き続きマウスが押下されたままドラッグされた場合には、マウスを放すまで（ＯＦＦ）を範囲指定とみなす。一方、ダブルクリックした場合には「開始位置指定」とする。いずれの場合にもユーザにより議題変更ボタン１０１４が押下されるが、「範囲指定」と「開始位置指定」が異なる要求として受け付けられる。
【０１５５】
議題変更の操作がない場合には、図２５のフローチャートは完了する。「範囲指定」であると判定された場合には、引き続くＳ１６０６ｃ、Ｓ１６０７ｃを実行して図２５のフローチャートは完了する。「開始位置指定」と判定された場合には、Ｓ１６０６ａ、Ｓ１６０７ａを処理した後、Ｓ２５０２に進む。
【０１５６】
Ｓ２５０２においては、議事録（または発言記憶部１２００）に、既に処理されテキストとして登録された発言があるか否かを判定する。すなわち、次の発言がある場合にはＳ２５０３に進む。次の発言がない場合には、Ｓ２５０５に進み、引き続く発言（現時点では未だ発話されておらず、今後発話される発言）の議題を、ユーザが「開始位置指定」の後、議題変更ボタン１０１４により指定した議題ＩＤとして継続して使用するよう設定する。Ｓ２５０５の処理の後、図２５のフローチャートを完了する。
【０１５７】
Ｓ２５０３においては、次の発言を選択する。具体的には、議事録（または発言記憶部１２００）に、既に処理されテキストとして登録された次の発言を取得し、議題ＩＤ判定をする発言とする。Ｓ２５０３の処理の後、Ｓ１６０２を実行してＳ２５０４に進む。
【０１５８】
Ｓ２５０４においては、Ｓ２５０３で選択された発言に対して、図２５のＳ１６０２で再判定された議題ＩＤが、当該発言に対してもともと設定されていた議題ＩＤと同じか否かを判定する。すなわち、同じ場合にはそれ以降の議題ＩＤには影響を与えない（変更しない）として図２５のフローチャートを完了する。一方、議題ＩＤが同じではない（変わった）場合には、それ以降の議題ＩＤにも影響する（変更する可能性がある）として、再判定された議題ＩＤを改めて（前述のユーザが開始位置指定において選択した議題ＩＤに相当する）議題ＩＤとして再判定処理を繰り返す。Ｓ２５０４の終了後、Ｓ１６０６ｂ、Ｓ１６０７ｂを実行し、Ｓ２５０２（更に次の発言の議題ＩＤ判定）に進む。
【０１５９】
なお、前述のＳ２５０４で「現在選択されている発言の再判定後の議題ＩＤが、元の議題ＩＤと同じか否か」を判定したが、例えば「現在選択されている発言の再判定後の議題ＩＤがユーザによる開始位置指定において選択した議題ＩＤと同じか否か」により判定してもよい。これにより、同じ議題ＩＤが続く限りは判定を継続する、としてもよい。
以上で図２５のフローチャートの処理の説明を完了する。
【０１６０】
以上の説明では、会議と、会議の中の「議題」を例として説明してきたが、この例に限定せず、例えば、プレゼンテーション、パネルディスカッション、集会、講習会（講演会、授業）での講師（教師）の説明と受講生（学生、生徒）からの質問、の「話題」の切替についても同様に使用することが出来る。従って、議題、話題、などは本発明においては同じものを意味することとする。更に、音声によるチャットなどであってもよい。
【０１６１】
なお、上述した各種データの構成及びその内容はこれに限定されるものではなく、用途や目的に応じて、様々な構成や内容で構成されることは言うまでもない。
【０１６２】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【０１６３】
また、本発明におけるプログラムは、図１５〜図２０、図２５に示すフローチャートの処理方法をコンピュータが実行可能なプログラムであり、本発明の記憶媒体は図１５〜図２０、図２５の処理方法をコンピュータが実行可能なプログラムが記憶されている。なお、本発明におけるプログラムは図１５〜図２０、図２５の各装置の処理方法ごとのプログラムであってもよい。
【０１６４】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【０１６５】
この場合、記録媒体から読み出されたプログラム自体が本発明の新規な機能を実現することになり、そのプログラムを記憶した記録媒体は本発明を構成することになる。
【０１６６】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【０１６７】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１６８】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１６９】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。さらに、本発明を達成するためのプログラムをネットワーク上のサーバ、データベース等から通信プログラムによりダウンロードして読み出すことによって、そのシステムあるいは装置が、本発明の効果を享受することが可能となる。
【０１７０】
なお、上述した各実施形態およびその変形例を組み合わせた構成も全て本発明に含まれるものである。
【符号の説明】
【０１７１】
１０１  会議サーバ
１０２  クライアント装置
１０３  ネットワーク
１０４  音声入力装置
３０１  会議システム
３０２  システム管理者
３０３  グループ
３０４  グループ管理者
３０５  一般ユーザ
３０６  会議室
３０７  フリースペース
【図１】
2014143668.tif 000003
【図２】
2014143668.tif 000004
【図３】
2014143668.tif 000005
【図４】
2014143668.tif 000006
【図５】
2014143668.tif 000007
【図６】
2014143668.tif 000008
【図７】
2014143668.tif 000009
【図８】
2014143668.tif 000010
【図９】
2014143668.tif 000011
【図１０】
2014143668.tif 000012
【図１１】
2014143668.tif 000013
【図１２】
2014143668.tif 000014
【図１３】
2014143668.tif 000015
【図１４】
2014143668.tif 000016
【図１５】
2014143668.tif 000017
【図１６】
2014143668.tif 000018
【図１７】
2014143668.tif 000019
【図１８】
2014143668.tif 000020
【図１９】
2014143668.tif 000021
【図２０】
2014143668.tif 000022
【図２１】
2014143668.tif 000023
【図２２】
2014143668.tif 000024
【図２３】
2014143668.tif 000025
【図２４】
2014143668.tif 000026
【図２５】
2014143668.tif 000027